(57)【要約】【課題】  複数の利用先にＨＤＤ等の蓄積画像を出力し、蓄積画像のバックアップを可能とした画像処理装置において、バックアップ元に障害が発生した場合でも、バックアップデータを他の機器で復元し利用可能とする。【解決手段】  ＨＤＤ (2）５ｂに、４００dpi２ビットのＲＧＢ圧縮画像データと白黒やカラー、画質モードなどの属性情報がバックアップデータとして蓄積され、リストア先である機器内部の  ＨＤＤ (1）５の蓄積形式が６００dpi２ビットのＣＭＹＫである場合、色空間と解像度に差異があって、そのままでは書き戻せないので、画像フォーマット変換ユニット１０でＲＧＢ→ＣＭＹＫの色変換、４００→６００dpiの解像度変換等を施すことによって、利用可能な蓄積形式のデータとする。【選択図】          図１２
2006086893.tif 000002
【特許請求の範囲】
【請求項１】
入力された画像データを蓄積する第1の画像蓄積手段と、前記第1の画像蓄積手段に蓄積された画像データを複数の利用先に出力することが可能な出力手段と、前記第１の画像蓄積手段に蓄積された画像データのバックアップが可能で、バックアップする画像データをその属性データとともに蓄積する第２の画像蓄積手段を有する画像処理装置であって、前記第２の画像蓄積手段に蓄積された画像データの利用時、利用先が要求する画像データの形式を取得し、蓄積画像の属性データに示されたデータ形式との差異を判別するデータ形式判別手段と、前記データ形式判別手段が、データ形式の差異を判別結果として得たときに、第２の画像蓄積手段に蓄積された画像データを利用先のデータ形式へ変換する画像データ変換手段を備えたことを特徴とする画像処理装置。
【請求項２】
請求項１に記載された画像処理装置において、前記画像データ変換手段が、解像度を変換する機能を持つ手段であることを特徴とする画像処理装置。
【請求項３】
請求項１又は２に記載された画像処理装置において、前記画像データ変換手段が、色空間を変換する機能を持つ手段であることを特徴とする画像処理装置。
【請求項４】
請求項１乃至３のいずれかに記載された画像処理装置において、前記画像データ変換手段が、ガンマ変換をする機能を持つ手段であることを特徴とする画像処理装置。
【請求項５】
請求項１乃至４のいずれかに記載された画像処理装置において、前記画像データ変換手段が、データ圧縮形式を変換する機能を持つ手段であることを特徴とする画像処理装置。
【請求項６】
請求項１乃至５のいずれかに記載された画像処理装置において、前記画像データ変換手段が、フィルタ処理を行う機能を持つ手段であることを特徴とする画像処理装置。
【請求項７】
請求項１乃至６のいずれかに記載された画像処理装置において、前記画像データ変換手段が、中間調処理を行う機能を持つ手段であることを特徴とする画像処理装置。
【請求項８】
請求項１乃至７のいずれかに記載された画像処理装置において、前記データ形式判別手段が、データ形式の差異を判別結果として得たときに、前記第２の画像蓄積手段に蓄積された画像の属性データを利用先で用いる属性データへ変換する属性データ変換手段を備えたことを特徴とする画像処理装置。
【請求項９】
請求項８に記載された画像処理装置において、前記属性データ変換手段が、テーブル変換方式による手段であることを特徴とする画像処理装置。
【請求項１０】
請求項１乃至９のいずれかに記載された画像処理装置において、前記画像データ変換手段及び前記属性データ変換手段における変換・処理条件として設定されたうちの少なくとも一つの条件を、入力操作により指示された条件に従って変更する手段を備えたことを特徴とする画像処理装置。
【請求項１１】
請求項1乃至１０のいずれかに記載された画像処理装置において、前記第1の画像蓄積手段に蓄積された画像データをネットワークへ送信可能とするネットワークインターフェースを備え、前記第２の画像蓄積手段が前記ネットワークインターフェースを介して受けとった画像データを蓄積する手段であることを特徴とする画像処理装置。
【発明の詳細な説明】
【技術分野】
【０００１】
本発明は、配信機能を備えた、例えば、ＭＦＰ（コピー機能、ファクシミリ機能、プリンタ機能等の多機能を複合させた）カラー複写機のように、原稿画像の入力手段を通して得た画像データを蓄積し、蓄積した画像データをもとにプリント出力を行うほか、外部機器（コンピュータ等）へ配信することを可能にした画像処理装置に関し、より特定すると、蓄積した画像データのバックアップを可能とする蓄積手段を付加し、付加した蓄積手段の蓄積データをバックアップしたデータ元の機器以外でも、復元でき、利用できるようにするための変換・処理をデータに施す手段を備えた前記画像処理装置に関する。
【背景技術】
【０００２】
近年、複写機においては、コピー機能のほかに、スキャナ機能、プリンタ機能、ファクシミリ機能等を搭載したＭＦＰ機が一般化しつつあり、これに伴ってこれらの機能を支える技術として、ネットワーク技術や処理対象となる多様な画像データを蓄積する技術の導入が進行している。
ネットワーク化は、ＰＣ（Personal Computer）、複写機等の画像処理装置相互間でそれぞれが取得した画像データの共有を可能にし、配信機能及びキャプチャ機能として実現している。また、画像蓄積については、原稿を読み取り、得た画像データを転写紙へ出力するだけでなく、機器内部のハードディスク（ＨＤＤ：Hard Disc Drive）に蓄積するようにしている。これは、予め決められたフォーマットでデータを蓄積することで、必要な時にプリント出力したり、再コピーしたりすることに用いられる。また、上記で述べた配信機能を利用する場合も、蓄積画像に対し外部ＰＣ等からの配信要求があり、これに応じてデータの配信が行われ、配信の対象となる蓄積データもＭＦＰの各機能の利用により生じるデータに及んでいる。
このように、機器内部のＨＤＤに様々なデータを保存することになると、予期せぬトラブルへの対応も求められることになり、蓄積データのバックアップが必要になってきている。
蓄積データのバックアップに関する従来技術として、例えば、下記特許文献１の記載を示すことができる。この従来例では、ＭＦＰの外部にサーバ装置を設け、サーバ装置によって、ＭＦＰから送られてくる複写に用いた文書データを、ユーザＩＤや処理日時とともに、バックアップデータとしてファイル蓄積する。サーバ装置は、蓄積データの同一性を無駄なく処理し、ファイル検索や、文書データの再利用を容易にするための機能などを用意して、ファイルの管理を行う。
【特許文献１】特開２０００−５７１５９号公報
【発明の開示】
【発明が解決しようとする課題】
【０００３】
ところで、バックアップしたＨＤＤのデータは、必要に応じて元のＨＤＤにデータをリストアする。その後、リストアされた蓄積データを用いて、機内でプリント出力する場合、バックアップしたデータは、通常、オリジナルのデータを何の処理も加えずにそのままバックアップ先で記憶しているので、リストアされたデータの場合でも、オリジナルのデータで正常に行われた処理を再び行うということで、何の問題もなく実行が可能である。
しかしながら、上記のような方法によってバックアップしたデータも、バックアップ元、或いはバックアップ元と同じ蓄積画像フォーマットのデータを用いて出力が可能なＭＦＰ機が故障でダウンしていると、バックアップデータをリストアできず、プリント出力ができなかった。また、トナー等の現像材が消耗したために、リストアできてもプリント出力ができない場合もあった。
このようなトラブルが起きた状況でも、バックアップしたデータを利用できるようにする、という要求があるが、これまで、この要求に応えることが可能な提案がなされていない。なお、上記特許文献１においても、こうした課題に対する認識は示されていない。
本発明は、ＨＤＤ等の記憶装置に蓄積した画像データを複数の利用先に出力し、蓄積した画像データのバックアップを可能とした従来の画像処理装置（例えば、ＭＦＰカラー複写機等）において発生する、バックアップを行ったデータ元の機器に障害が起きると、バックアップデータの利用ができなくなる、という問題に鑑み、これを解決するためになされたもので、その解決課題は、蓄積した画像データのバックアップを可能とするために付加した蓄積手段の蓄積データを、バックアップしたデータ元の機器以外でも、復元し、利用することができるようにすることにある。
【課題を解決するための手段】
【０００４】
請求項１の発明は、入力された画像データを蓄積する第1の画像蓄積手段と、前記第1の画像蓄積手段に蓄積された画像データを複数の利用先に出力することが可能な出力手段と、前記第１の画像蓄積手段に蓄積された画像データのバックアップが可能で、バックアップする画像データをその属性データとともに蓄積する第２の画像蓄積手段を有する画像処理装置であって、前記第２の画像蓄積手段に蓄積された画像データの利用時、利用先が要求する画像データの形式を取得し、蓄積画像の属性データに示されたデータ形式との差異を判別するデータ形式判別手段と、前記データ形式判別手段が、データ形式の差異を判別結果として得たときに、第２の画像蓄積手段に蓄積された画像データを利用先のデータ形式へ変換する画像データ変換手段を備えた画像処理装置により、課題の解決を図る。
【０００５】
請求項２の発明は、請求項１に記載された画像処理装置において、前記画像データ変換手段が、解像度を変換する機能を持つ手段であることを特徴とするものである。
請求項３の発明は、請求項１又は２に記載された画像処理装置において、前記画像データ変換手段が、色空間を変換する機能を持つ手段であることを特徴とするものである。
請求項４の発明は、請求項１乃至３のいずれかに記載された画像処理装置において、前記画像データ変換手段が、ガンマ変換をする機能を持つ手段であることを特徴とするものである。
請求項５の発明は、請求項１乃至４のいずれかに記載された画像処理装置において、前記画像データ変換手段が、データ圧縮形式を変換する機能を持つ手段であることを特徴とするものである。
請求項６の発明は、請求項１乃至５のいずれかに記載された画像処理装置において、前記画像データ変換手段が、フィルタ処理を行う機能を持つ手段であることを特徴とするものである。
請求項７の発明は、請求項１乃至６のいずれかに記載された画像処理装置において、前記画像データ変換手段が、中間調処理を行う機能を持つ手段であることを特徴とするものである。
【０００６】
請求項８の発明は、請求項１乃至７のいずれかに記載された画像処理装置において、前記データ形式判別手段が、データ形式の差異を判別結果として得たときに、前記第２の画像蓄積手段に蓄積された画像の属性データを利用先で用いる属性データへ変換する属性データ変換手段を備えたことを特徴とするものである。
請求項９の発明は、請求項８に記載された画像処理装置において、前記属性データ変換手段が、テーブル変換方式による手段であることを特徴とするものである。
請求項１０の発明は、請求項１乃至９のいずれかに記載された画像処理装置において、前記画像データ変換手段及び前記属性データ変換手段における変換・処理条件として設定されたうちの少なくとも一つの条件を、入力操作により指示された条件に従って変更する手段を備えたことを特徴とするものである。
【０００７】
請求項１１の発明は、請求項1乃至１０のいずれかに記載された画像処理装置において、前記第1の画像蓄積手段に蓄積された画像データをネットワークへ送信可能とするネットワークインターフェースを備え、前記第２の画像蓄積手段が前記ネットワークインターフェースを介して受けとった画像データを蓄積する手段であることを特徴とするものである。
【発明の効果】
【０００８】
請求項１〜７の発明によると、バックアップデータとして用いることができるように第２の画像蓄積手段に蓄積した画像に対し、解像度変換（請求項２）、色空間の変換（請求項３）、ガンマ変換（請求項４）、データ圧縮形式の変換（請求項５）、フィルタ処理（請求項６）、中間調処理（請求項７）を施し、利用先の使用に適したデータとすることにより、第２の画像蓄積手段に蓄積した画像の利用性を向上させることを可能とし、バックアップを行ったデータ元の機器に障害が起きると、バックアップデータの利用ができなくなってしまう、という従来技術の問題を、他の機器を利用するといった方法によって、解決することができる。
また、請求項８，９の発明によると、画像データに付随する属性データを利用先で用いる属性データへ変換し、利用先の使用に適合させることにより、第２の画像蓄積手段に蓄積した画像の利用性の向上を図ることを可能とし、バックアップを行ったデータ元の機器に障害が起きると、バックアップデータの利用ができなくなってしまう、という従来技術の問題を、他の機器を利用するといった方法によって、解決することができる。しかも、属性データの変換をテーブル変換方式により、簡単に実現することが可能となる（請求項９）。
さらに、画像データ及び属性データの変換・処理条件を入力操作の指示に従って捕捉することにより、各データ個別に最適化を図ることが可能になる（請求項１０）。
また、第２の画像蓄積手段を装置本体から独立させることにより、機能の拡張を図ることが可能になる（請求項１１）。
【発明を実施するための最良の形態】
【０００９】
以下に、本発明の画像処理装置に係わる実施形態を示す。
なお、以下に示す実施形態は、いずれも、ＨＤＤ等の記憶装置に蓄積した画像データを基に、プリント出力を行うほか、ネットワーク上への配信出力を可能とし、蓄積画像データをネットワーク間で共有することを可能にする画像処理装置（例えば、ＭＦＰカラー・モノクロ複写機等）において、バックアップデータの蓄積を可能とする第２の画像蓄積手段を設け、第２の画像蓄積手段に蓄積した画像の利用性を向上させるための変換・処理を蓄積画像データに施す手段を備えた前記画像処理装置に関する。
下記では「実施形態１」「実施形態２」として分説する。「実施形態１」は、第２の画像蓄積手段に蓄積した画像データそのもの対し、画像の利用性を向上させるための変換・処理を施すようにした点を特徴とする。また、もう一方の「実施形態２」は、第２の画像蓄積手段に蓄積した画像データに付随する属性データを利用先で用いる属性データへ変換するようにした点を特徴とする。
【００１０】
「実施形態１」
本例は、本発明の画像処理装置に係わる実施形態として、コピー機能、ファクシミリ（ＦＡＸ）機能、プリンタ機能及び蓄積画像データの配信機能等の多機能を搭載したデジタル複写機（ＭＦＰ機）へ実施した例を示す。
先ず、実施の対象となるＭＦＰ機に蓄積した画像をネットワーク上に共有し、データを相互に利用することが可能な複数のＭＦＰ機よりなる画像処理システムを想定し、想定したシステムにおける、蓄積したバックアップデータの利用関係について、説明する。
図１は、複数のＭＦＰ機よりなる本例の画像処理システムの構成を示し、蓄積データの利用関係を説明するための図を示す。同図に示すように、フルカラーの複写機Ａ，Ａ’，Ｂ、とモノクロの複写機Ｃによりシステムを構成しており、それぞれ内部に画像データ蓄積用のＨＤＤ５を備えている。フルカラーの複写機ＡとＡ’は、同じＣ，Ｍ，Ｙ，Ｋ（Ｃ：Cyan、Ｍ：Magenta、Ｙ：Yellow、Ｋ：Black）の蓄積形式を採用しているが、複写機Ｂはこれとは違うＲ，Ｇ，Ｂ（Ｒ：Red、Ｇ：Green、Ｂ：Blue）の蓄積形式である。モノクロの複写機Ｃはもちろんフルカラーの複写機とは互換性が無いGrayscaleの蓄積形式である。バックアップデータを蓄積するＨＤＤ Ｄとして、ＨＤＤ５ｂを用いる。ＨＤＤ５ｂは、図１に示すようにネットワーク上で共通に用いるような構成でも良いし、例えばフルカラーの複写機Ａ内に搭載するような構成でも良い。
フルカラーの複写機ＡのＨＤＤ Ａに蓄積してある画像データをバックアップ用のＨＤＤ Ｄにバックアップする。これはフルカラー複写機ＡのＨＤＤ Ａに蓄積されている画像データそのものなので、当然複写機Ａには書き戻すことができる。また、フルカラー複写機Ａ’もフルカラー複写機Ａと同じ蓄積形式であるＣＭＹＫを採用しているので、バックアップ用ＨＤＤ Ｄのバックアップデータは、フルカラー複写機Ａ’にも書き戻すことが可能である。
別の蓄積画像形式であるＲＧＢを採用しているフルカラー複写機Ｂには、そのままでは書き戻すことが出来ない。そのため、フルカラー複写機Ａの蓄積形式からフルカラー複写機Ｂの蓄積形式へ、ＣＭＹＫ→ＲＧＢ変換を行い、データを書き戻す。同様に、モノクロ複写機Ｃもバックアップデータを書き戻して出力することはできない。そのため、フルカラー複写機Ａの蓄積形式からモノクロ複写機Ｃの蓄積形式へと蓄積形式の変換を行い、データを書き戻す。フルカラーカラーの画像データをモノクロの複写機に書き戻す際には、色のデータが必要ないためＣＭＹＫからＧｒａｙへと色変換が行われることとなる。
なお、ここでは説明のために複写機を例にとって説明したが、プリント出力を行うほか、ネットワーク上への配信出力を可能とし、蓄積画像データをネットワーク間で共有することを可能にする画像処理装置であれば、機器の種類は問わない。
【００１１】
図２は、図１に示した本実施形態のＣＭＹＫの蓄積方式を採用するＭＦＰカラー機Ａ及びＡ’における画像データ処理システムの構成を概略的に示すブロック図である。
“コピー時の処理”‥‥ＣＭＹＫ蓄積方式
先ず、図２を参照して、デジタル複写機の各部の構成及び原稿を複写する際の処理、即ち、原稿画像の読み取り、読み取り画像の蓄積、蓄積画像を用いた印刷出力、という過程で行なわれるコピー時の処理フロー（図２中一点鎖線にて示す）に沿い、その概要を説明する。
原稿を読み取る場合、読み取りユニット１のスキャナによって、セットされた原稿は、Ｒ，Ｇ，Ｂ（Ｒ：Red、Ｇ：Green、Ｂ：Blue）に色分解された６００dpi各色８ビットの画像データとして読み取られる。ここで、スキャナ画像データを６００dpi各色８ビットとしたが、これに限るものではない。
読み取られた画像データは、スキャナ補正部２に送られ、各種の補正や変換等が施される。図３は、スキャナ補正の構成例を示す図で、同図に示すように、ここでは、スキャナγ２１、画質モードに対応したフィルタ２２の処理、色補正２６及び変倍２４の各処理が行われる。６００dpi８ビットの ＲＧＢの色信号はフィルタ２２の処理でエッジは強調、絵柄部は平滑化され、色補正２６の処理により、６００dpi８ビットのＣＭＹＫの色信号へと変換される。コピーのモードがモノクロモードの時にはＫデータのみが有用なデータとなる。なお、スキャナ補正部２、後述するプリンタ補正部７などのエンジン部にある処理部は、エンジンコントローラ１２によって制御される。
【００１２】
変倍後の６００dpi各色８ビットのＣＭＹＫ画像データは固定長の非可逆圧縮器３によって各色２ビットの画像データに圧縮される。固定長の非可逆圧縮器３の出力は、汎用バスＩ／Ｆ１５につながっており、非可逆圧縮後の６００dpi ２ビットのＣＭＹＫ画像データは、汎用バスＩ／Ｆ１５を通ってプリンタコントローラ４に送られる。コピーのモードがモノクロモードの時には、前述の通りＫデータのみ有用なので、ＣＭＹのデータを捨ててＫのみを転送するようにしても良い。その場合は蓄積時のデータサイズを１／４にすることが可能となる。
プリンタコントローラ４は、コピー機能を始め、各機能アプリの動作を実行するコントローラとしてＭＦＰ機全体を制御する。従って、動作に必要なデータを格納するためのメモリ１１を制御下に持ち、ここをワークメモリ及び制御データ、各種の管理情報等を格納するメモリとし、また、各種の入力パスを通して入力される画像データ及びその属性データを蓄積するＨＤＤを制御下におき、そこに蓄積されるデータの管理（後述するＨＤＤのバックアップに係わる処理を含む）を行う。また、プリンタコントローラ４にユーザによる機能の選択や動作条件の設定等の入力操作を行う操作部（図示せず）が接続されており、ユーザによる設定入力を受け付ける。
【００１３】
上記のように、スキャナ入力処理を経て、汎用バスＩ／Ｆ１５を通じて転送されてくる圧縮データを受け取るプリンタコントローラ４は、半導体メモリ１１に各色毎に独立したメモリ領域（Ｃ、Ｍ、Ｙ、Ｋ）を持ち、ここに送られたデータを一旦格納する。また、プリンタコントローラ４は画像データの属性情報を収めた属性データも保持する。例えば、画像の解像度、文字や写真、カラーやモノクロといった画質モード、紙サイズや印刷枚数などの情報が挙げられる。
この後、半導体メモリ１１に格納された画像データと属性データは随時大容量の記憶装置であるＨＤＤ (1）５に書き込まれる。ＨＤＤ (1）５への画像データの蓄積は、データをプリントアウトする時に用紙が詰まり、出力が正常に終了しなかった場合でも再び原稿を読み直すのを避けるためや、複数の原稿画像データを並べ替える電子ソートを行うためである。また、この外に、読み取った原稿を蓄積しておき、必要なときに、再印刷したり、ネットワーク配信をする、といった再出力の機能をサポートする。
なお、ここではＣＭＹＫ画像データに対し非可逆の圧縮を施すとしたが、汎用バスＩ／Ｆ１５の帯域が十分に広く、蓄積するＨＤＤ (1）５の容量が大きければ非圧縮の状態でデータを扱っても良い。その方が非可逆な圧縮による画像劣化を防ぐことができる。また、可逆な圧縮方式を使っても良いが、その場合にはブロック圧縮後の符号長が一定にならないため、ブロックごとに画像を回転しにくく、多くの場合において外部に回転用のメモリが必要となる。
また、本例のコピーのスキャナ読み取り解像度は６００dpiなのでコピー時の蓄積解像度は６００dpiである。
【００１４】
印刷出力する場合は、ＨＤＤ (1）５内のCMYKの圧縮データは、一旦半導体メモリ１１に展開され、次に汎用バスＩ／Ｆ１５をとおり、エンジン部に送られる。エンジン部の固定長の非可逆伸張器６により、再びCMYK８ビットの画像データに復元される。このデータは、プリンタ補正７に送られる。図４は、プリンタ補正７の構成例を示す図で、同図に示すように、ここでは、ＣＭＹＫの各色に対してプリンタγ補正７１を行ったのち、レーザ書き込みユニット８および作像ユニット９に合わせた中間調処理７２を施す。
プリンタ補正７から出力されたデータは、レーザ書き込みユニット８にてＬＤ（レーザダイオード）用データに変換し、作像ユニット９により潜像、現像、転写、定着を経て、転写紙に出力される。
【００１５】
“蓄積データのバックアップ時の処理”‥‥ＣＭＹＫ蓄積方式
図５は、図１に示した本実施形態のＣＭＹＫの蓄積方式を採用するＭＦＰカラー機Ａ及びＡ’における蓄積データのバックアップ時の処理フローを説明するための図である。なお、図５は、図２に示したものとブロック構成そのものに変わりがない。
蓄積データのバックアップ時の処理について、図５中に破線にて示す処理フローに沿い、説明すると、ＨＤＤ (1）５には、上述のように、スキャナ入力パスを通して補正、圧縮の施された６００dpi ２ビットのＣＭＹＫ（またはＫ）圧縮画像データと白黒やカラー、文字や写真といった画質モードなどの属性情報が蓄積されている。
バックアップ時に、ＨＤＤ (1）５内の２ビットのＣＭＹＫ圧縮画像データは、圧縮したまま、一旦半導体メモリ１１に展開され、バックアップ用のＨＤＤ (2）５ｂに書き出される。このとき、属性情報も圧縮画像データと合わせてＨＤＤ (2）５ｂに書き出される。このバックアップ動作は、操作部（図示せず）からユーザーの入力操作による指示や予め定められたタイムスケジュールに従い起動され、蓄積画像の総データサイズ、蓄積画像の画像数などの変動が検知されたときに、蓄積画像データを随時バックアップする。なお、プリンタコントローラ４の処理に余裕がある場合は、ＨＤＤ (1）５に書き出すのに合わせて随時ＨＤＤ (2）５ｂにもバックアップデータを書き出すという処理方法をとるようにしても良い。
また、バックアップデータには、ＨＤＤ (1）５で使用される蓄積形式についての情報も付随して記録する。これは画像データ毎に付加しても良いし、このＨＤＤ (1）５からのバックアップデータに対して一つ付加しても良い。これにより、バックアップデータを書き戻す際に、ＨＤＤ (2）５ｂにバックアップされている蓄積形式が何であるか知ることができる（蓄積形式によって施される、バックアップデータに対する変換・処理については後述)。さらに、それぞれのバックアップデータの蓄積形式が分かるので、複数の蓄積形式のデータを混在させてバックアップすることも可能になる。
【００１６】
ここに、バックアップ用として使用するＨＤＤ (2）５ｂはユーザーが取り外し可能で、バックアップを行う時だけ接続したりするような使い方をできるようにする。もちろん、常時取り付けていても良い。本体との接続には、汎用のコネクタを使用すると、取り扱いが容易となるが、セキュリティの面からすると専用のコネクタの方が安全であり、どちらも一長一短である。用途に応じて使い分けられるようになっていると、なお良い。
また、接続されているネットワークの環境が十分整っているならば、ネットワークを通じて外部のＨＤＤ又は記憶装置にバックアップすることも可能で、ネットワーク上で共有するようなシステム構成をとると、蓄積データを他の複写機から利用することが可能になる。
【００１７】
“バックアップデータのリストア時の処理”‥‥ＣＭＹＫ蓄積方式
図６は、図１に示した本実施形態のＣＭＹＫの蓄積方式を採用するＭＦＰカラー機Ａ及びＡ’におけるバックアップデータのリストア時の処理フローを説明するための図である。なお、図６は、図２に示したものとブロック構成そのものに変わりがない。
バックアップデータを書き戻す（リストア）時の処理について、図６中に破線にて示す処理フローに沿い、説明すると、ＨＤＤ (2）５ｂに書き出されたバックアップデータは、スキャナ入力パスを通して補正、圧縮の施された６００dpi ２ビットのＣＭＹＫ（またはＫ）圧縮画像データと白黒やカラー、文字や写真といった画質モードなどの属性情報、及びバックアップデータの蓄積形式についての情報から構成されている。
リストア時には、始めにＨＤＤ (2）５ｂからバックアップデータの蓄積形式についての情報を読み出し、書き戻し先であるＨＤＤ (1）５から読み出した対応するデータの蓄積形式と照らし合わせ、データ形式の差異を判別する。蓄積形式についての情報は、例えば、蓄積画像の属性データに示された情報を読み出すことにより取得が可能である。
ここで、バックアップしたデータと書き戻す先のデータの蓄積形式に差異があるかを判別した結果、蓄積形式が同じ場合には、蓄積データのバックアップ時の処理（図５）で示したバックアップ手順の逆の手順で、そのまま書き戻せば良い。この例では先ほどバックアップしたデータをそのまま書き戻すので、これに該当する。各種属性情報も同じくそのまま書き戻すことが出来るが、ユーザーの選択により書き戻す際に属性情報を変更できるようにしておいても良い。
蓄積形式に差異があるかを判別した結果、差異がある場合は、蓄積形式の変換を行わないとバックアップデータを書き戻せない。例えば、蓄積画像の圧縮形式がＣＭＹＫの可逆な圧縮方式の場合（符号長が一定でない）、圧縮方法を変更しないと、書き戻すことができない。このケースについては、後記で例示する。
【００１８】
“コピー時の処理”‥‥ＲＧＢ蓄積方式
図７は、図１に示したＲＧＢの蓄積方式を採用するＭＦＰカラー機Ｂにおける画像データ処理システムの構成を概略的に示すブロック図である。
図７を参照して、コピー時の処理フロー（図７中一点鎖線にて示す）に沿い、デジタル複写機の各部の構成及び画像データ処理について、その概要を説明する。
原稿を読み取る場合、読み取りユニット１のスキャナによって、セットされた原稿は、Ｒ，Ｇ，Ｂ（Ｒ：Red、Ｇ：Green、Ｂ：Blue）に色分解された４００dpi各色８ビットの画像データとして読み取られる。ここで、スキャナ画像データを４００dpi各色８ビットとしたが、これに限るものではない。
読み取られた画像データは、スキャナ補正部２に送られ、各種の補正や変換等が施される。図８は、スキャナ補正の構成例を示す図で、同図に示すように、ここでは、スキャナγ２１、画質モードに対応したフィルタ２２の処理及び変倍２４の各処理が行われる。コピーのモードがモノクロモードの時にはＧデータのみが有用なデータとなる。なお、スキャナ補正部２、後述するプリンタ補正部７などのエンジン部にある処理部は、エンジンコントローラ１２によって制御される。
【００１９】
変倍後の４００dpi各色８ビットのＲＧＢ画像データは固定長の非可逆圧縮器３によって各色２ビットの画像データに圧縮される。固定長の非可逆圧縮器３の出力は、汎用バスＩ／Ｆ１５につながっており、非可逆圧縮後の４００dpi ２ビットのＲＧＢ画像データは、汎用バスＩ／Ｆ１５を通ってプリンタコントローラ４に送られる。コピーのモードがモノクロモードの時には、前述の通りＧデータのみ有用なので、ＲＢのデータを捨ててＧのみを転送するようにしても良い。その場合は蓄積時のデータサイズを１／３にすることが可能となる。
プリンタコントローラ４は、コピー機能を始め、各機能アプリの動作を実行するコントローラとしてＭＦＰ機全体を制御する。従って、動作に必要なデータを格納するためのメモリ１１を制御下に持ち、ここをワークメモリ及び制御データ、各種の管理情報等を格納するメモリとし、また、各種の入力パスを通して入力される画像データ及びその属性データを蓄積するＨＤＤを制御下におき、そこに蓄積されるデータの管理（後述するＨＤＤのバックアップに係わる処理を含む）を行う。また、プリンタコントローラ４にユーザによる機能の選択や動作条件の設定等の入力操作を行う操作部（図示せず）が接続されており、ユーザによる設定入力を受け付ける。
【００２０】
上記のように、スキャナ入力処理を経て、汎用バスＩ／Ｆ１５を通して転送されてくる圧縮データを受け取るプリンタコントローラ４は、半導体メモリ１１に各色毎に独立したメモリ領域（Ｒ、Ｇ、Ｂ）を持ち、ここに送られたデータを一旦格納する。また、プリンタコントローラ４は画像データの属性情報を収めた属性データも保持する。例えば、画像の解像度、文字や写真、カラーやモノクロといった画質モード、紙サイズや印刷枚数などの情報が挙げられる。
この後、半導体メモリ１１に格納された画像データと属性データは随時大容量の記憶装置であるＨＤＤ (1）５に書き込まれる。ＨＤＤ (1）５への画像データの蓄積は、データをプリントアウトする時に用紙が詰まり、出力が正常に終了しなかった場合でも再び原稿を読み直すのを避けるためや、複数の原稿画像データを並べ替える電子ソートを行うためである。また、この外に、読み取った原稿を蓄積しておき、必要なときに、再印刷したり、ネットワーク配信をする、といった再出力の機能をサポートする。
なお、ここではＲＧＢ画像データに対し非可逆の圧縮を施すとしたが、汎用バスＩ／Ｆ１５の帯域が十分に広く、蓄積するＨＤＤ (1）５の容量が大きければ非圧縮の状態でデータを扱っても良い。その方が非可逆な圧縮による画像劣化を防ぐことができる。また、可逆な圧縮方式を使っても良いが、その場合にはブロック圧縮後の符号長が一定にならないため、ブロックごとに画像を回転しにくく、多くの場合において外部に回転用のメモリが必要となる。さらに、ＹｕｖやＬａｂといった色空間に変換して圧縮してもよい。この方が、画質的に有利な場合がある。
また、本例のコピーのスキャナ読み取り解像度は４００dpiなのでコピー時の蓄積解像度は４００dpiである。
【００２１】
印刷出力する場合は、ＨＤＤ (1）５内の４００dpi２ビットのＲＧＢ圧縮データは、一旦半導体メモリ１１に展開され、次に汎用バスＩ／Ｆ１５をとおり、エンジン部に送られる。エンジン部の固定長の非可逆伸張器６により、再び４００dpi８ビットのＲＧＢ画像データに復元される。このデータは、プリンタ補正７に送られる。図９は、プリンタ補正７の構成例を示す図で、同図に示すように、ここでは、先ず、４００dpi ８ビットのＲＧＢ色信号は色補正処理７５により４００dpi ８ビットのＣＭＹＫ色信号へと変換され、ＣＭＹＫの各色に対してプリンタγ補正７１を行ったのち、レーザ書き込みユニット８および作像ユニット９に合わせた中間調処理７２を施す。
プリンタ補正７から出力されたデータは、レーザ書き込みユニット８にてＬＤ（レーザダイオード）用データに変換し、作像ユニット９により潜像、現像、転写、定着を経て、転写紙に出力される。
【００２２】
“蓄積データのバックアップ時の処理”‥‥ＲＧＢ蓄積方式
図１０は、図１に示した本実施形態のＲＧＢの蓄積方式を採用するＭＦＰカラー機Ｂにおける蓄積データのバックアップ時の処理フローを説明するための図である。なお、図１０は、図７に示したものとブロック構成そのものに変わりがない。
蓄積データのバックアップ時の処理について、図１０中に破線にて示す処理フローに沿って説明すると、ＨＤＤ (1）５には、上述のように、スキャナ入力パスを通して補正、圧縮の施された４００dpi ２ビットのＲＧＢ（又はＧ）圧縮画像データと白黒やカラー、文字や写真といった画質モードなどの属性情報が蓄積されている。
バックアップ時に、ＨＤＤ (1）５内の４００dpi ２ビットのＲＧＢ圧縮画像データは、圧縮したまま、一旦半導体メモリ１１に展開され、バックアップ用のＨＤＤ (2）５ｂに書き出される。このとき、属性情報も圧縮画像データと合わせてＨＤＤ (2）５ｂに書き出される。このバックアップ動作は、操作部（図示せず）からユーザーの入力操作による指示や予め定められたタイムスケジュールに従い起動され、蓄積画像の総データサイズ、蓄積画像の画像数などの変動が検知されたときに、蓄積画像データを随時バックアップする。なお、プリンタコントローラ４の処理に余裕がある場合は、ＨＤＤ (1）５に書き出すのに合わせて随時ＨＤＤ (2）５ｂにもバックアップデータを書き出すという処理方法をとるようにしても良い。
また、バックアップデータには、ＨＤＤ (1）５で使用される蓄積形式についての情報も付随して記録する。これは画像データ毎に付加しても良いし、このＨＤＤ (1）５からのバックアップデータに対して一つ付加しても良い。これにより、バックアップデータを書き戻す際に、ＨＤＤ (2）５ｂにバックアップされている蓄積形式が何であるか知ることができる（蓄積形式によって施される、バックアップデータに対する変換・処理については後述)。
【００２３】
ここに、バックアップ用として使用するＨＤＤ (2）５ｂはユーザーが取り外し可能で、バックアップを行う時だけ接続したりするような使い方をできるようにする。もちろん、常時取り付けていても良い。本体との接続には、汎用のコネクタを使用すると、取り扱いが容易となるが、セキュリティの面からすると専用のコネクタの方が安全であり、どちらも一長一短である。用途に応じて使い分けられるようになっていると、なお良い。
また、接続されているネットワークの環境が十分整っているならば、ネットワークを通じて外部のＨＤＤ又は記憶装置にバックアップすることも可能で、ネットワーク上で共有するようなシステム構成をとると、蓄積データを他の複写機から利用することが可能になる。
【００２４】
“バックアップデータのリストア時の処理”‥‥ＲＧＢ蓄積方式
図１１は、図１に示した本実施形態のＲＧＢの蓄積方式を採用するＭＦＰカラー機Ｂにおけるバックアップデータのリストア時の処理フローを説明するための図である。なお、図１１は、図７に示したものとブロック構成そのものに変わりがない。
バックアップデータを書き戻す（リストア）時の処理について、図１１中に破線にて示す処理フローに沿い、説明すると、ＨＤＤ (2）５ｂに書き出されたバックアップデータは、スキャナ入力パスを通して補正、圧縮の施された４００dpi ２ビットのＲＧＢ（又はＧ）圧縮画像データと白黒やカラー、文字や写真といった画質モードなどの属性情報、及びバックアップデータの蓄積形式についての情報から構成されている。
リストア時には、始めにＨＤＤ (2）５ｂからバックアップデータの蓄積形式についての情報を読み出し、書き戻し先であるＨＤＤ (1）５から読み出した対応するデータの蓄積形式と照らし合わせ、データ形式の差異を判別する。蓄積形式についての情報は、例えば、蓄積画像の属性データに示された情報を読み出すことにより取得が可能である。
ここで、バックアップしたデータと書き戻す先のデータの蓄積形式に差異があるかを判別した結果、蓄積形式が同じ場合には、蓄積データのバックアップ時の処理（図１０）で示したバックアップ手順の逆の手順で、そのまま書き戻せば良い。この例では先ほどバックアップしたデータをそのまま書き戻すので、これに該当する。各種属性情報も同じくそのまま書き戻すことができるが、ユーザーの選択により書き戻す際に属性情報を変更できるようにしておいても良い。
蓄積形式に差異があるかを判別した結果、差異がある場合は、蓄積形式の変換を行わないとバックアップデータを書き戻せない。例えば、蓄積画像の圧縮形式がＲＧＢの可逆な圧縮方式の場合（符号長が一定でない）、圧縮方法を変更しないと、書き戻すことができない。このケースについては、後記で例示する。
【００２５】
“変換を伴うバックアップデータのリストア時の処理”‥‥ＣＭＹＫ蓄積方式
図１２は、図１に示した本実施形態のＣＭＹＫの蓄積方式を採用するＭＦＰカラー機Ａ及びＡ’におけるバックアップデータのリストア時の処理フローを説明するための図である。なお、図１２は、図６に示したものとブロック構成は同じである。
バックアップデータを書き戻す（リストア）時の処理について、図１２中に破線にて示す処理フローに沿い、説明する。この処理フローと、上述した“バックアップデータのリストア時の処理”（図６参照）との違いは、ＨＤＤ (2）５ｂに書き出されたバックアップデータはスキャナ補正の施された４００dpi ２ビットのＲＧＢ（又はＧ）圧縮画像データと白黒やカラー、文字や写真といった画質モードなどの属性情報、及びバックアップデータの蓄積形式についての情報から構成されているのに対し、機器内部の蓄積形式が６００dpi２ビットのＣＭＹＫであり、バックアップデータとリストア先の蓄積の形式が一致していない点である。
この場合は蓄積形式の色空間と解像度に差異があるので、蓄積形式の変換を行わないとバックアップデータを書き戻せない。
【００２６】
ＨＤＤ (2）５ｂにはスキャナ補正の施された４００dpi２ビットのＲＧＢ（又はＧ）圧縮画像データと白黒やカラー、文字や写真といった画質モードなどの属性情報が蓄積されているので、先ず、これらを圧縮したまま一旦半導体メモリ１１に展開し、次いで、圧縮伸張ブロック１６を通すことにより、圧縮されたＲＧＢデータを伸張する。圧縮伸張ブロック１６は、複数のアルゴリズムの圧縮伸張器を備えており、プリンタコントローラ４がＨＤＤ (2）５ｂに記録された蓄積形式についての情報を読み出し、使用するアルゴリズムを指示し、データ伸張を行う。これにより、４００dpi２ビットのＲＧＢ圧縮画像データは４００dpi８ビットのＲＧＢ画像データに復号される。このとき、該当するアルゴリズムが存在しない場合は、プリンタコントローラ４にエラーとして返す。この場合は、バックアップデータを書き戻すことはできない。
圧縮伸張ブロック１６は、ＤＳＰ（Digital Signal Processor）などでプログラマブルにしておくと、より自由度が広がる。読み出したＨＤＤ (2）５ｂの蓄積形式を認識し、対応するコードを埋め込む方法をとることも可能になる。
蓄積形式を表すコードは、データバックアップ時にバックアップ用のＨＤＤ (2）５ｂに書き出しておくと便利である。機器のファームウェアにコードを埋め込んで、使う時に用いることもできるし、また必要に応じてネットワークから該当のコードをダウンロードすることも可能になる。
【００２７】
圧縮伸張ブロック１６で伸張された４００dpi８ビットＲＧＢ画像データは画像フォーマット変換ユニット１０に出力され、各種の変換・処理が行われる。この変換・処理を通して、バックアップデータの蓄積形式４００dpi８ビットＲＧＢから、書き戻し先の蓄積形式６００dpi８ビットＣＭＹＫへとデータが変換されることになる。
図１３は、本実施形態の画像フォーマット変換ユニット１０内の構成例を示す。
図１３に示すように、ここでは、書き戻し先に適合する画像フォーマットとするための処理手段として、色空間の変換を行う色変換回路１０２、画像の解像度変換を行う解像度変換回路１０１、フィルタ処理を行うフィルタ処理１０６、γ処理を行うγ処理１０３、中間調処理を行う中間調処理１０５の各手段を備える。
圧縮・伸張ブロック１６で伸張された４００dpi８ビットのＲＧＢ画像データは色変換回路１０２によって、バックアップされているＲＧＢデータから、実際に書き戻し先の本体側が求める色空間ＣＭＹＫのデータへと変換される。変換された４００dpi８ビットのＣＭＹＫ画像データは、解像度変換回路１０１で同じく実際に書き戻し先の本体側が求める６００dpiの８ビットＣＭＹＫの画像データへと解像度変換が行われる。
これ以降の処理フローで行われる、フィルタ処理１０６、γ処理１０３、中間調処理１０５については、バックアップデータ、本体内部のデータとも既に行われているか、あるいは出力時に行うと処理の位置が同じなので、特に処理を行わずにスルーしても構わない。ただし、双方とも全く同じ処理とは限らないので、その間を埋める程度の処理を入れることは可能である。事前にスルーさせることが分かっている場合は、必要な回路のみで構成してもよいが、汎用性は低下してしまう。
【００２８】
このようにして、バックアップされた４００dpi８ビットのＲＧＢデータから、蓄積可能な６００dpi８ビットのＣＭＹＫデータへの変換が行われ、本体内部の使用に適した蓄積形式である６００dpi８ビットＣＭＹＫへと変換された画像データは、再び圧縮伸張ブロック１６で固定長の６００dpi２ビットＣＭＹＫ圧縮画像データへと圧縮され、一旦半導体メモリ１１に展開された後、本体内部のＨＤＤ (1）５へ書き戻される。
各種属性情報が全く同じである場合には、そのまま書き戻すことができる。異なる場合、例えば、画質モードの意義に差異がある場合には、属性情報の変換も必要となる。予め異なる属性情報の対応がプリンタコントローラ４で分かっていれば、それに従って適合する表現への変更を、例えば対応テーブルを用いて行う。ただし、対応テーブルが膨大になるので、全てをカバーするのは現実的ではない。その際には、ネットワークを介して、対応のデータベースにアクセスし、属性情報を変換すると良い。また、この変換法則でかばーし切れない属性情報を書き戻す際には、ユーザーが操作入力によって指示する属性情報の対応関係に従うようにする。
【００２９】
“変換を伴う蓄積データのバックアップ時の処理”‥‥‥ＣＭＹＫ蓄積方式
図１４は、図１に示した本実施形態のＣＭＹＫの蓄積方式を採用するＭＦＰカラー機Ａ及びＡ’における蓄積データのバックアップ時の処理フローを説明するための図である。なお、図１４は、図１３に示したものとブロック構成は同じである。
このバックアップ時の処理について、図１４中に破線にて示す処理フローに沿い、説明する。通常は、本体に蓄積されたデータ形式そのままにバックアップを行うが、予め蓄積形式の違う機械に書き戻すことが分かっているならば、上述した変換・処理をバックアップ時に行っても良い。この場合はユーザーの操作入力による変換・処理の指示が必要となる。
この場合も、機器内部の蓄積形式が６００dpi２ビットのＣＭＹＫであるのに対し、バックアップデータが４００dpi２ビットのＲＧＢであり、データの蓄積形式の色空間と解像度に差異があるので、蓄積形式の変換を行ってバックアップを行う。
ＨＤＤ (1）５にはスキャナ補正の施された６００dpi２ビットのＣＭＹＫ（又はＫ）圧縮画像データと白黒やカラー、文字や写真といった画質モードなどの属性情報が蓄積されている。まず、ＨＤＤ (1）５内の６００dpi２ビットのＣＭＹＫ圧縮画像データは、圧縮したまま一旦半導体メモリ１１に展開され、次いで圧縮伸張ブロック１６で圧縮ＣＭＹＫデータを伸張する。圧縮伸張ブロック１６は、複数のアルゴリズムの圧縮伸張器を備えており、ユーザーの指示により使用するアルゴリズムを決定し、データ伸張を行う。これにより、６００dpi２ビットのＣＭＹＫ圧縮画像データは６００dpi８ビットのＣＭＹＫ画像データに復号される。このとき、該当するアルゴリズムが存在しない場合は、プリンタコントローラ４にエラーとして返す。この場合は、バックアップデータを書き戻すことはできない。
圧縮伸張ブロック１６は、ＤＳＰなどでプログラマブルにしておくと、より自由度が広がる。読み出したＨＤＤ (2）５ｂの蓄積形式を認識し、対応するコードを埋め込む方法をとることも可能になる。
蓄積形式を表すコードは、データバックアップ時にバックアップ用のＨＤＤ (2）５ｂに書き出しておくと便利である。機器のファームウェアにコードを埋め込んで、使う時に用いることもできるし、また必要に応じてネットワークから該当のコードをダウンロードすることも可能になる。
【００３０】
圧縮伸張ブロック１６で伸張された６００dpi８ビットＣＭＹＫ画像データは画像フォーマット変換ユニット１０に出力され、各種変換・処理が行われる。これにより、バックアップデータの蓄積形式６００dpi８ビットＣＭＹＫから、バックアップ先の蓄積形式４００dpi８ビットＲＧＢへとデータが変換されることになる。
画像フォーマット変換ユニット１０によって、本体内部の蓄積形式である６００dpi８ビットＣＭＹＫからバックアップ用の４００dpi８ビットＲＧＢに変換された画像データは、再び圧縮伸張ブロック１６で固定長の４００dpi２ビットＲＧＢ圧縮画像データへと圧縮され、一旦半導体メモリ１１に展開された後、バックアップ用のＨＤＤ (2）５ｂへバックアップされる。なお、画像フォーマット変換ユニット１０での変換・処理は、バックアップデータのリストア時の処理（図１３に関する説明、参照）に準ずるため、ここでは、説明を省略する。
【００３１】
“コピー時の処理”‥‥‥Grayscale蓄積方式
図１５は、図１に示したGrayscaleの蓄積方式を採用するＭＦＰモノクロ機Ｃにおける画像データ処理システムの構成を概略的に示すブロック図である。
図１５を参照して、コピー時の処理フロー（図１５中一点鎖線にて示す）に沿い、デジタル複写機の各部の構成及び画像データ処理について、その概要を説明する。
原稿を読み取る場合、読み取りユニット１のスキャナによって、セットされた原稿は、Ｇに色分解された６００dpi８ビットの画像データとして読み取られる。ここで、スキャナ画像データを６００dpi８ビットとしたが、これに限るものではない。
読み取られた画像データは、スキャナ補正部２に送られ、各種の補正や変換等が施される。図１６は、スキャナ補正の構成例を示す図で、同図に示すように、ここでは、スキャナγ２１、画質モードに対応したフィルタ２２の処理及び変倍２４の各処理が行われる。なお、スキャナ補正部２、後述するプリンタ補正部７などのエンジン部にある処理部は、エンジンコントローラ１２によって制御される。
【００３２】
変倍後の６００dpi８ビットのGrayscale画像データは固定長の非可逆圧縮器３によって２ビットの画像データに圧縮される。固定長の非可逆圧縮器３の出力は、汎用バスＩ／Ｆ１５につながっており、非可逆圧縮後の６００dpi ２ビットのGrayscale画像データは、汎用バスＩ／Ｆ１５を通ってプリンタコントローラ４に送られる。
プリンタコントローラ４は、コピー機能を始め、各機能アプリの動作を実行するコントローラとしてＭＦＰ機全体を制御する。従って、動作に必要なデータを格納するためのメモリ１１を制御下に持ち、ここをワークメモリ及び制御データ、各種の管理情報等を格納するメモリとし、また、各種の入力パスを通して入力される画像データ及びその属性データを蓄積するＨＤＤを制御下におき、そこに蓄積されるデータの管理（後述するＨＤＤのバックアップに係わる処理を含む）を行う。また、プリンタコントローラ４にユーザによる機能の選択や動作条件の設定等の入力操作を行う操作部（図示せず）が接続されており、ユーザによる設定入力を受け付ける。
【００３３】
上記のように、スキャナ入力処理を経て、汎用バスＩ／Ｆ１５を通して転送されてくる圧縮データを受け取るプリンタコントローラ４は、半導体メモリ１１に送られてくるデータを一旦格納する。また、プリンタコントローラ４は画像データの属性情報を収めた属性データも保持する。例えば、画像の解像度、文字や写真といった画質モード、紙サイズや印刷枚数などの情報が挙げられる。
この後、半導体メモリ１１に格納された画像データと属性データは随時大容量の記憶装置であるＨＤＤ (1）５に書き込まれる。ＨＤＤ (1）５への画像データの蓄積は、データをプリントアウトする時に用紙が詰まり、出力が正常に終了しなかった場合でも再び原稿を読み直すのを避けるためや、複数の原稿画像データを並べ替える電子ソートを行うためである。また、この外に、読み取った原稿を蓄積しておき、必要なときに、再印刷したり、ネットワーク配信をする、といった再出力の機能をサポートする。
なお、ここではGrayscale画像データに対し非可逆の圧縮を施すとしたが、汎用バスＩ／Ｆ１５の帯域が十分に広く、蓄積するＨＤＤ (1）５の容量が大きければ非圧縮の状態でデータを扱っても良い。その方が非可逆な圧縮による画像劣化を防ぐことができる。また、可逆な圧縮方式を使っても良いが、その場合にはブロック圧縮後の符号長が一定にならないため、ブロックごとに画像を回転しにくく、多くの場合において外部に回転用のメモリが必要となる。
また、本例のコピーのスキャナ読み取り解像度は６００dpiなのでコピー時の蓄積解像度は６００dpiである。
【００３４】
印刷出力する場合は、ＨＤＤ (1）５内の６００dpi２ビットのGrayscale圧縮データは、一旦半導体メモリ１１に展開され、次に汎用バスＩ／Ｆ１５をとおり、エンジン部に送られる。エンジン部の固定長の非可逆伸張器６により、再び６００dpi８ビットのGrayscale画像データに復元される。このデータは、プリンタ補正７に送られる。図１７は、プリンタ補正７の構成例を示す図で、同図に示すように、ここでは、先ず、６００dpi ８ビットのGrayscale信号に対し、プリンタγ補正７１を行ったのち、レーザ書き込みユニット８および作像ユニット９に合わせた中間調処理７２を施す。
プリンタ補正７から出力されたデータは、レーザ書き込みユニット８にてＬＤ（レーザダイオード）用データに変換し、作像ユニット９により潜像、現像、転写、定着を経て、転写紙に出力される。
【００３５】
“蓄積データのバックアップ時の処理”‥‥‥Grayscale蓄積方式
図１８は、図１に示した本実施形態のGrayscale蓄積方式を採用するＭＦＰモノクロ機Ｃにおける蓄積データのバックアップ時の処理フローを説明するための図である。なお、図１８は、図１５に示したものとブロック構成そのものに変わりがない。
蓄積データのバックアップ時の処理について、図１８中に破線にて示す処理フローに沿って説明すると、ＨＤＤ (1）５には、上述のように、スキャナ入力パスを通して補正、圧縮の施された６００dpi ２ビットのGrayscale圧縮画像データと、文字や写真といった画質モードなどの属性情報が蓄積されている。
バックアップ時に、ＨＤＤ (1）５内の６００dpi ２ビットのGrayscale圧縮画像データは、圧縮したまま、一旦半導体メモリ１１に展開され、バックアップ用のＨＤＤ (2）５ｂに書き出される。このとき、属性情報も圧縮画像データと合わせてＨＤＤ (2）５ｂに書き出される。このバックアップ動作は、操作部（図示せず）からユーザーの入力操作による指示や予め定められたタイムスケジュールに従い起動され、蓄積画像の総データサイズ、蓄積画像の画像数などの変動が検知されたときに、蓄積画像データを随時バックアップする。なお、プリンタコントローラ４の処理に余裕がある場合は、ＨＤＤ (1）５に書き出すのに合わせて随時ＨＤＤ (2）５ｂにもバックアップデータを書き出すという処理方法をとるようにしても良い。
また、バックアップデータには、ＨＤＤ (1）５で使用される蓄積形式についての情報も付随して記録する。これは画像データ毎に付加しても良いし、このＨＤＤ (1）５からのバックアップデータに対して一つ付加しても良い。これにより、バックアップデータを書き戻す際に、ＨＤＤ (2）５ｂにバックアップされている蓄積形式が何であるか知ることができる（蓄積形式によって施される、バックアップデータに対する変換・処理については後述)。
【００３６】
ここに、バックアップ用として使用するＨＤＤ (2）５ｂはユーザーが取り外し可能で、バックアップを行う時だけ接続したりするような使い方をできるようにする。もちろん、常時取り付けていても良い。本体との接続には、汎用のコネクタを使用すると、取り扱いが容易となるが、セキュリティの面からすると専用のコネクタの方が安全であり、どちらも一長一短である。用途に応じて使い分けられるようになっていると、なお良い。
また、接続されているネットワークの環境が十分整っているならば、ネットワークを通じて外部のＨＤＤ又は記憶装置にバックアップすることも可能で、ネットワーク上で共有するようなシステム構成をとると、蓄積データを他の複写機から利用することが可能になる。
【００３７】
“バックアップデータのリストア時の処理”‥‥‥Grayscale蓄積方式
図１９は、図１に示した本実施形態のGrayscale蓄積方式を採用するＭＦＰモノクロ機Ｃにおけるバックアップデータのリストア時の処理フローを説明するための図である。なお、図１９は、図１８に示したものとブロック構成そのものに変わりがない。
バックアップデータを書き戻す（リストア）時の処理について、図１９中に破線にて示す処理フローに沿い、説明すると、ＨＤＤ (2）５ｂに書き出されたバックアップデータは、スキャナ入力パスを通して補正、圧縮の施された６００dpi ２ビットのGrayscale圧縮画像データと、文字や写真といった画質モードなどの属性情報、及びバックアップデータの蓄積形式についての情報から構成されている。
リストア時には、始めにＨＤＤ (2）５ｂからバックアップデータの蓄積形式についての情報を読み出し、書き戻し先であるＨＤＤ (1）５から読み出した対応するデータの蓄積形式と照らし合わせ、データ形式の差異を判別する。蓄積形式についての情報は、例えば、蓄積画像の属性データに示された情報を読み出すことにより取得が可能である。
ここで、バックアップしたデータと書き戻す先のデータの蓄積形式に差異があるかを判別した結果、蓄積形式が同じ場合には、蓄積データのバックアップ時の処理（図１０）で示したバックアップ手順の逆の手順で、そのまま書き戻せば良い。この例では先ほどバックアップしたデータをそのまま書き戻すので、これに該当する。各種属性情報も同じくそのまま書き戻すことができるが、ユーザーの選択により書き戻す際に属性情報を変更できるようにしておいても良い。
蓄積形式に差異があるかを判別した結果、差異がある場合は、蓄積形式の変換を行わないとバックアップデータを書き戻せない。例えば、蓄積画像の圧縮形式がGrayscaleの可逆な圧縮方式の場合（符号長が一定でない）、圧縮方法を変更しないと、書き戻すことができない。このケースについては、後記で例示する。
【００３８】
“変換を伴うバックアップデータのリストア時の処理”‥‥‥Grayscale蓄積方式
図２０は、図１に示した本実施形態のGrayscale蓄積方式を採用するＭＦＰモノクロ機Ｃにおけるバックアップデータのリストア時の処理フローを説明するための図である。なお、図２０は、図１９に示したものとブロック構成は同じである。
バックアップデータを書き戻す（リストア）時の処理について、図２０中に破線にて示す処理フローに沿い、説明する。ＨＤＤ (2）５ｂに書き出されたバックアップデータはスキャナ補正の施された４００dpi ２ビットのＲＧＢ（又はＧ）圧縮画像データと白黒やカラー、文字や写真といった画質モードなどの属性情報、及びバックアップデータの蓄積形式についての情報から構成されているのに対し、機器内部の蓄積形式が６００dpi２ビットのGrayscaleであり、バックアップデータとリストア先の蓄積の形式が一致していないケースである。
この場合は蓄積形式の色空間と解像度に差異があるので、蓄積形式の変換を行わないとバックアップデータを書き戻せない。
【００３９】
ＨＤＤ (2）５ｂにはスキャナ補正の施された４００dpi２ビットのＲＧＢ（又はＧ）圧縮画像データと白黒やカラー、文字や写真といった画質モードなどの属性情報が蓄積されているので、先ず、これらを圧縮したまま一旦半導体メモリ１１に展開し、次いで、圧縮伸張ブロック１６を通すことにより、圧縮されたＲＧＢデータを伸張する。圧縮伸張ブロック１６は、複数のアルゴリズムの圧縮伸張器を備えており、プリンタコントローラ４がＨＤＤ (2）５ｂに記録された蓄積形式についての情報を読み出し、使用するアルゴリズムを指示し、データ伸張を行う。これにより、４００dpi２ビットのＲＧＢ圧縮画像データは４００dpi８ビットのＲＧＢ画像データに復号される。このとき、該当するアルゴリズムが存在しない場合は、プリンタコントローラ４にエラーとして返す。この場合は、バックアップデータを書き戻すことはできない。
圧縮伸張ブロック１６は、ＤＳＰなどでプログラマブルにしておくと、より自由度が広がる。読み出したＨＤＤ (2）５ｂの蓄積形式を認識し、対応するコードを埋め込む方法をとることも可能になる。
蓄積形式を表すコードは、データバックアップ時にバックアップ用のＨＤＤ (2）５ｂに書き出しておくと便利である。機器のファームウェアにコードを埋め込んで、使う時に用いることもできるし、また必要に応じてネットワークから該当のコードをダウンロードすることも可能になる。
【００４０】
圧縮伸張ブロック１６で伸張された４００dpi８ビットＲＧＢ画像データは画像フォーマット変換ユニット１０に出力され、各種の変換・処理が行われる。この変換・処理を通して、バックアップデータの蓄積形式４００dpi８ビットＲＧＢから、書き戻し先の蓄積形式６００dpi８ビットGrayscaleへとデータが変換されることになる。
画像フォーマット変換ユニット１０内の構成例を示す図１３を再び参照して、変換・処理のフローを説明すると、圧縮・伸張ブロック１６で伸張された４００dpi８ビットのＲＧＢ画像データは、色変換回路１０２によって、バックアップされているＲＧＢデータから、実際に書き戻し先の本体側が求める色空間のGrayscaleデータへと変換される。変換された４００dpi８ビットのGrayscaleデータは、解像度変換回路１０１で同じく実際に書き戻し先の本体側が求める６００dpiの８ビットのGrayscaleデータへと解像度変換が行われる。
これ以降の処理フローで行われる、フィルタ処理１０６、γ処理１０３、中間調処理１０５については、バックアップデータ、本体内部のデータとも既に行われているか、あるいは出力時に行うと処理の位置が同じなので、特に処理を行わずにスルーしても構わない。ただし、双方とも全く同じ処理とは限らないので、その間を埋める程度の処理を入れることは可能である。事前にスルーさせることが分かっている場合は、必要な回路のみで構成してもよいが、汎用性は低下してしまう。
このようにして、バックアップされた４００dpi８ビットのＲＧＢデータから、蓄積可能な６００dpi８ビットのＣＭＹＫデータへの変換が行われ、本体内部の使用に適したの蓄積形式である６００dpi８ビットGrayscaleへと変換された画像データは、再び圧縮伸張ブロック１６で固定長の６００dpi２ビットGrayscale圧縮画像データへと圧縮され、一旦半導体メモリ１１に展開された後、本体内部のＨＤＤ (1）５へ書き戻される。
【００４１】
また、Grayscale蓄積方式を採用するＭＦＰモノクロ機Ｃにおけるバックアップデータのリストア時の処理を図２０に示すような処理フローで行う場合に、本体内部のＨＤＤ (1）５へのGrayscale蓄積時に、スキャナ補正２（図１６参照）をスルーさせたデータを蓄積するケースがある。このケースでは、バックアップしたＲＧＢデータからのリストア処理を、上記したリストア時の処理と異なる処理が必要となってくるので、このケースにについて説明する。
このケースでは、スキャナ補正２をスルーさせたデータ、即ち、スキャナ入力したＧデータに圧縮をかける以外には、何も処理をしない状態で、ＨＤＤ (1）５にGrayscaleデータとして蓄積する。従って、プリント出力する際には、スルーさせた補正処理をプリンタ補正７で、行うようにする。図２１は、そのときのプリンタ補正７の内部構成を示すブロック図で、同図に示すように、スキャナγ処理２１、フィルタ処理２２、変倍処理２４、プリンタγ補正７１、中間調処理７２の各ブロックを構成要素とする。
このように、機器内部のＨＤＤ (1）５に蓄積される画像は、補正等の各種の処理が何もなされていない。従って、４００dpiのGrayscaleデータをバックアップするときは、画像フォーマット変換ユニット１０（図１３参照）を通して、色変換１０２と解像度変換１０１の他にフィルタ処理１０６、γ変換処理１０３を行う。これはバックアップされている４００ｄｐｉＲＧＢ画像データはスキャナγ、フィルタ処理、変倍処理が行われているからである。
リストア時の処理の際、上記におけると同様に図２０に示す処理フローに従い、画像フォーマット変換ユニット１０を通して、書き戻すと、スキャナγ処理が２回かかってしまう、といった不具合が生じる。この不具合を回避するために、既にかけられているスキャナγ処理を戻すようなγ処理や、過度なフィルタの強調や平滑がかからないようにするためのフィルタ処理、蓄積画像にかけられている変倍処理を打ち消すような解像度変換などが求められる。
また、プリンタ補正でこれらの処理は既に行われているものとして、画像データの属性情報を、処理がキャンセルされる条件に変更して、書き戻すようにすることにより、この不具合を回避する方法を用いることも可能である。
【００４２】
「実施形態２」
上記実施形態１では、蓄積した画像をネットワーク上に共有し、データを相互に利用することが可能な画像処理装置としてのカラー・モノクロＭＦＰ機を例に、蓄積画像のバックアップに用いることが可能な第２の画像蓄積手段としてのＨＤＤ (2）５ｂに蓄積した画像に対し、レストア先でバックアップデータの利用性を向上させるための変換・処理を施す手段としての画像フォーマット変換ユニット１０を備えた当該画像処理装置について、その実施形態を示した。
しかしながら、上述の画像フォーマット変換ユニット１０により蓄積画像に施される変換・処理が、データ形式の変換を伴う場合に、蓄積画像に付随する属性情報（データ）を蓄積時のままにしておくと、書き戻し先において属性データをサポートできず、属性により定まる条件に従う処理ができなくなる、という不具合が生じる。本実施形態は、こうした不具合を回避するために、属性情報（データ）についても同じようにデータを変換する手段を備えることによって、その解決を図るようにするものである。
なお、本実施形態においても、実施形態１と同様に、コピー機能、ファクシミリ（ＦＡＸ）機能、プリンタ機能及び蓄積画像データの配信機能等を搭載したＭＦＰカラー機を例にする。また、実施の対象となるＭＦＰ機に蓄積した画像をネットワーク上で相互に利用することが可能な複数のＭＦＰ機よりなる画像処理システムの想定も、上記図１に示した、フルカラーの複写機Ａ，Ａ’よりなるシステムとする。即ち、フルカラーの複写機ＡとＡ’は、それぞれ内部に、同じＣＭＹＫの蓄積形式を採用する画像データ蓄積用のＨＤＤ５を備えており、複写機ＡのＨＤＤ Ａに蓄積してある画像データをバックアップ可能なＨＤＤ Ｄの蓄積データは、複写機Ａには当然に、又同じ蓄積形式であるＣＭＹＫを採用している複写機Ａ’にも書き戻すことが可能である。
なお、ここでは説明のために複写機を例にとって説明したが、プリント出力を行うほか、ネットワーク上への配信出力を可能とし、蓄積画像データをネットワーク間で共有することを可能にする画像処理装置であれば、機器の種類は問わない。
【００４３】
図２２〜２４は、図１に示した本実施形態のＣＭＹＫの蓄積方式を採用するＭＦＰカラー機Ａ及びＡ’における画像データ処理システムの構成を概略的に示すブロック図で、図２２には、コピー時の処理フローを一点鎖線にて示し、又図２３には、バックアップ時の処理フローを破線にて示し、又図２４には、リストア時の処理フローを破線にて示している。
図２２〜２４に示すＭＦＰカラー機の画像データ処理システムは、蓄積画像に付随する属性情報（データ）のデータ変換を行うための手段として、プリンタコントローラ４によって利用される属性データ変換テーブル１８を備えている。本実施形態で新たに付加された構成は、この属性データ変換手段だけで、これ以外の構成は、実施形態１で示したＣＭＹＫの蓄積方式を採用するＭＦＰカラー機として示したものと変わらない。
従って、本実施形態のＣＭＹＫ蓄積方式でＨＤＤ (1）５に蓄積し、ＣＭＹＫ蓄積方式でＨＤＤ (2）５ｂにバックアップデータを蓄積する場合、バックアップデータを蓄積するまでの過程、即ちスキャナ入力処理パスを経てＨＤＤ (1）５に画像蓄積し（図２２参照）、ＨＤＤ (1）５の蓄積画像を第２の画像蓄積手段としてのＨＤＤ (2）５ｂにバックアップする過程（図２３参照）、さらにバックアップデータをそのままリストアする過程（図２４参照）では、画像フォーマット変換ユニット１０を用いて画像のデータ形式を変換することはなく、属性データ変換テーブル１８を用いることもない。
なお、バックアップデータを蓄積し、リストアする上記図２２〜２４に示す処理は、それぞれ実施形態１に示した、
・  図２〜４を参照し説明した“コピー時の処理”‥‥ＣＭＹＫ蓄積方式
・  図５を参照し説明した“蓄積データのバックアップ時の処理”‥‥ＣＭＹＫ蓄積方式
・  図６を参照し説明した“バックアップデータのリストア時の処理”‥‥ＣＭＹＫ蓄積方式
と同様に行われる。従って、ここでは、上記３つの処理フローの記載を参照することとし、説明を省略する。
【００４４】
“変換を伴うバックアップデータのリストア時の処理”‥‥ＣＭＹＫ蓄積方式
図２５は、図１に示した本実施形態のＣＭＹＫの蓄積方式を採用するＭＦＰカラー機Ａ及びＡ’におけるバックアップデータのリストア時の処理フローを説明するための図である。なお、図２５は、図２４に示したものとブロック構成は同じである。
バックアップデータを書き戻す（リストア）時の処理について、図１２中に破線にて示す処理フローに沿い、説明する。
ＨＤＤ (2）５ｂに書き出されたバックアップデータは、スキャナ補正の施された６００dpi ２ビットのＣＭＹＫ（又はＫ）圧縮画像データと白黒やカラー、文字や写真といった画質モードなどの属性情報、及びバックアップデータの蓄積形式についての情報から構成されている。
【００４５】
書き戻し（リストア）処理時には、始めにＨＤＤ (2）５ｂからバックアップデータの蓄積形式についての情報を読み出し、書き戻し先であるＨＤＤ (1）５から読み出した対応するデータの蓄積形式と照らし合わせ、データ形式の差異を判別する。蓄積形式についての情報は、例えば、蓄積画像の属性データに示された情報を読み出すことにより取得が可能である。
ここで、バックアップしたデータと書き戻す先のデータの蓄積形式に差異があるかを判別した結果、蓄積形式が同じ場合には、蓄積データのバックアップ時の処理（図１０）で示したバックアップ手順の逆の手順で、そのまま書き戻せば良い。
蓄積形式に差異があるかを判別した結果、差異がある場合は、蓄積形式の変換を行わないとバックアップデータを書き戻せない。
図２５は、この例を示すもので、ＨＤＤ (2）５ｂに書き出されたバックアップデータは、スキャナ補正の施された４００dpi ２ビットのＣＭＹＫ圧縮画像データと白黒やカラー、文字や写真といった画質モードなどの属性情報、及びバックアップデータの蓄積形式についての情報から構成されており、機器内部の蓄積形式が６００dpi２ビットのＣＭＹＫと蓄積の形式が一致していない場合である。
この場合は蓄積形式の解像度に差異があるので、蓄積形式の変換を行わないとバックアップデータを書き戻せない。ＨＤＤ (2）５ｂにはスキャナ補正の施された４００dpi２ビットのＣＭＹＫ圧縮画像データと白黒やカラー、文字や写真といった画質モードなどの属性情報が蓄積されているので、先ず、これらを圧縮したまま一旦半導体メモリ１１に展開し、次いで、圧縮伸張ブロック１６を通すことにより、圧縮されたＣＭＹＫデータを伸張する。圧縮伸張ブロック１６は、複数のアルゴリズムの圧縮伸張器を備えており、プリンタコントローラ４がＨＤＤ (2）５ｂに記録された蓄積形式についての情報を読み出し、使用するアルゴリズムを指示し、データ伸張を行う。これにより、４００dpi２ビットのＣＭＹＫ圧縮画像データは４００dpi８ビットのＣＭＹＫ画像データに復号される。このとき、該当するアルゴリズムが存在しない場合は、プリンタコントローラ４にエラーとして返す。この場合は、バックアップデータを書き戻すことはできない。
圧縮伸張ブロック１６は、ＤＳＰ（Digital Signal Processor）などでプログラマブルにしておくと、より自由度が広がる。読み出したＨＤＤ (2）５ｂの蓄積形式を認識し、対応するコードを埋め込む方法をとることも可能になる。
蓄積形式を表すコードは、データバックアップ時にバックアップ用のＨＤＤ (2）５ｂに書き出しておくと便利である。機器のファームウェアにコードを埋め込んで、使う時に用いることもできるし、また必要に応じてネットワークから該当のコードをダウンロードすることも可能になる。
【００４６】
圧縮伸張ブロック１６で伸張された４００dpi８ビットＣＭＹＫ画像データは画像フォーマット変換ユニット１０に出力され、各種の変換・処理が行われる。この変換・処理を通して、バックアップデータの蓄積形式４００dpi８ビットＣＭＹＫから、書き戻し先の蓄積形式６００dpi８ビットＣＭＹＫへとデータが変換されることになる。
本実施形態の画像フォーマット変換ユニット１０内の構成は、先の図１３の例を再び示す。
図１３に示すように、ここでは、書き戻し先に適合する画像フォーマットとするための処理手段として、色空間の変換を行う色変換回路１０２、画像の解像度変換を行う解像度変換回路１０１、フィルタ処理を行うフィルタ処理１０６、γ処理を行うγ処理１０３、中間調処理を行う中間調処理１０５の各手段を備える。
圧縮・伸張ブロック１６で伸張された４００dpi８ビットのＣＭＹＫ画像データは解像度変換回路１０１によって、バックアップされている解像度から、実際に書き戻し先の本体側が求める６００dpi８ビットＣＭＹＫの画像データへと変換される。
【００４７】
これ以外に、画像フォーマット変換ユニット１０による処理フローで行われる、色変換１０２、フィルタ処理１０６、γ処理１０３、中間調処理１０５については、バックアップデータ、本体内部のデータとも既に行われているか、あるいは出力時に行うと処理の位置が同じなので、特に処理を行わずにスルーしても構わない。ただし、双方とも全く同じ処理とは限らないので、その間を埋める程度の処理を入れることは可能である。事前にスルーさせることが分かっている場合は、必要な回路のみで構成してもよいが、汎用性は低下してしまう。
このようにして、バックアップされた４００dpi８ビットのＣＭＹＫデータから、蓄積可能な６００dpi８ビットのＣＭＹＫデータへの変換が行われ、本体内部の使用に適した蓄積形式である６００dpi８ビットＣＭＹＫへと変換された画像データは、再び圧縮伸張ブロック１６で固定長の６００dpi２ビットＣＭＹＫ圧縮画像データへと圧縮され、一旦半導体メモリ１１に展開された後、本体内部のＨＤＤ (1）５へ書き戻される。
【００４８】
上記のように、蓄積形式の差異に対応して画像フォーマット変換ユニット１０によって変換・処理を画像データそのものに施すが、属性情報に差異がある場合には、属性データの変換を合わせて行う。
属性情報に差異がある場合、属性データを変換するための手段として備えた属性データ変換テーブル１８を用い、プリンタコントローラ４によって属性データ変換テーブル１８に基づいて属性情報の変換を行う。属性データ変換テーブル１８には、様々な機種間における属性データの対応関係を示す情報が記憶されており、このテーブルに基づいてバックアップデータの属性データをリストアする蓄積データに変換することができる。
例えば、バックアップした蓄積画像データに対して設定された画質モードが“画質モードＡ”というモードなのにも関わらず、リストアする先には“画質モードＡ”という画質モードの設定が、存在しない場合、何らかの画質モードに変換する必要がある。この場合、属性データ変換テーブル１８には、“画質モードＡ”は“画質モードＢ”で置き換えるような対応とする変換テーブルを記憶しておき、この属性データ変換テーブル１８を参照することにより、レストア時に“画質モードＡ”から利用を可能とする“画質モードＢ”に属性データが変換される。
また、バックアップデータの濃度調整の幅を示す属性データが０±４（プラス側が濃度濃い）で、リストアする先の濃度調整幅の属性データが０±２（マイナス側が濃度濃い）の場合、プラスとマイナスの方向を合わせ、濃度調整の結果が合うように、それぞれの値を対応させる。この情報も属性データ変換テーブルに対応関係を記述しておくことにより、適合させることが可能になる。
【００４９】
この属性データ変換テーブル１８は、従来からある機種については、予め収めておくことができるが、新しい機種については予めデータを得ることができない。このため、例えば、ＮＩＣ１４を通じてネットワーク上のＷｅｂサーバーにアクセスし、ダウンロードすることによって、新しい機種との対応関係を示す最新の変換テーブルを取得することもできる。また、バックアップ用ＨＤＤに最新の属性データ変換テーブルデータを入れておき、これを使っても良い。もちろん、属性データ変換テーブルをハードウェアとして最新のものに交換する方式によっても良い。
このように属性データ変換テーブルをアップデートすることにより、様々な属性データの変換が可能であるが、まだ属性データ変換テーブルとしてデータ化が行われていない対応関係がでた場合には、操作部（図示せず）からの操作入力により、ユーザーが直接、変換先を指示することにより、書き戻し先における動作が可能となる。
【図面の簡単な説明】
【００５０】
【図１】複数のＭＦＰ機よりなる画像処理システムの構成、及び蓄積データの利用関係を説明する図である。
【図２】ＣＭＹＫ蓄積方式を採用するＭＦＰカラー機に係わる画像データ処理システムのブロック構成、及びコピー時の画像データの処理パスを示す。
【図３】図２におけるスキャナ補正の内部構成の１例を示す。
【図４】図２におけるプリンタ補正の内部構成の１例を示す。
【図５】ＣＭＹＫ蓄積方式を採用するＭＦＰカラー機に係わる画像データ処理システムのブロック構成、及び蓄積画像バックアップ時の処理パスを示す。
【図６】ＣＭＹＫ蓄積方式を採用するＭＦＰカラー機に係わる画像データ処理システムのブロック構成、及びバックアップ蓄積画像のレストア時の処理パスを示す。
【図７】ＲＧＢ蓄積方式を採用するＭＦＰカラー機に係わる画像データ処理システムのブロック構成、及びコピー時の画像データの処理パスを示す。
【図８】図７におけるスキャナ補正の内部構成の１例を示す。
【図９】図７におけるプリンタ補正の内部構成の１例を示す。
【図１０】ＲＧＢ蓄積方式を採用するＭＦＰカラー機に係わる画像データ処理システムのブロック構成、及び蓄積画像バックアップ時の処理パスを示す。
【図１１】ＲＧＢ蓄積方式を採用するＭＦＰカラー機に係わる画像データ処理システムのブロック構成、及びバックアップ蓄積画像のレストア時の処理パスを示す。
【図１２】ＣＭＹＫ蓄積方式を採用するＭＦＰカラー機において、データ形式変換を伴うバックアップ蓄積画像のレストア時の処理パスを示す。
【図１３】図１２における画像フォーマット変換ユニットの内部構成の１例を示す。
【図１４】ＣＭＹＫ蓄積方式を採用するＭＦＰカラー機において、データ形式変換を伴う蓄積画像のバックアップ時の処理パスを示す。
【図１５】Gray蓄積方式を採用するＭＦＰモノクロ機に係わる画像データ処理システムのブロック構成、及びコピー時の画像データの処理パスを示す。
【図１６】図１５におけるスキャナ補正の内部構成の１例を示す。
【図１７】図１５におけるプリンタ補正の内部構成の１例を示す。
【図１８】Gray蓄積方式を採用するＭＦＰモノクロ機に係わる画像データ処理システムのブロック構成、及び蓄積画像バックアップ時の処理パスを示す。
【図１９】Gray蓄積方式を採用するＭＦＰモノクロ機において、データ形式変換を伴うバックアップ蓄積画像のレストア時の処理パスを示す。
【図２０】Gray蓄積方式を採用するＭＦＰモノクロ機において、データ形式変換を伴うバックアップ蓄積画像のレストア時の処理パスを示す。
【図２１】図２０におけるプリンタ補正の内部構成の１例を示す。
【図２２】ＣＭＹＫ蓄積方式を採用するＭＦＰカラー機（実施形態２）に係わる画像データ処理システムのブロック構成、及びコピー時の画像データの処理パスを示す。
【図２３】ＣＭＹＫ蓄積方式を採用するＭＦＰカラー機（実施形態２）に係わる画像データ処理システムのブロック構成、及び蓄積画像バックアップ時の処理パスを示す。
【図２４】ＣＭＹＫ蓄積方式を採用するＭＦＰカラー機（実施形態２）に係わる画像データ処理システムのブロック構成、及びバックアップ蓄積画像のレストア時の処理パスを示す。
【図２５】ＣＭＹＫ蓄積方式を採用するＭＦＰカラー機（実施形態２）において、データ形式変換を伴うバックアップ蓄積画像のレストア時の処理パスを示す。
【符号の説明】
【００５１】
１・・読み取りユニット、            ２・・スキャナ補正、
４・・プリンタコントローラ、        ５・・ＨＤＤ(1)、
５ｂ・・ＨＤＤ(2)、                   ７・・プリンタ補正、
９・・作像ユニット、              １０・・画像フォーマット変換ユニット、
１４・・ＮＩＣ（ネットワークインターフェースコントローラ）、
１８・・属性データ変換テーブル。
【図１】
2006086893.tif 000003
【図２】
2006086893.tif 000004
【図３】
2006086893.tif 000005
【図４】
2006086893.tif 000006
【図５】
2006086893.tif 000007
【図６】
2006086893.tif 000008
【図７】
2006086893.tif 000009
【図８】
2006086893.tif 000010
【図９】
2006086893.tif 000011
【図１０】
2006086893.tif 000012
【図１１】
2006086893.tif 000013
【図１２】
2006086893.tif 000014
【図１３】
2006086893.tif 000015
【図１４】
2006086893.tif 000016
【図１５】
2006086893.tif 000017
【図１６】
2006086893.tif 000018
【図１７】
2006086893.tif 000019
【図１８】
2006086893.tif 000020
【図１９】
2006086893.tif 000021
【図２０】
2006086893.tif 000022
【図２１】
2006086893.tif 000023
【図２２】
2006086893.tif 000024
【図２３】
2006086893.tif 000025
【図２４】
2006086893.tif 000026
【図２５】
2006086893.tif 000027